(57)【要約】【課題】障害原因の特定に要する時間の削減を図ること。【解決手段】基地局装置１１０は、通信部１１１と、検出部１１２と、制御部１１３と、を備える。通信部１１１は、無線端末装置１２１との無線通信および無線制御装置１３０との通信によって無線端末装置１２１と無線制御装置１３０との間の通信を中継する。検出部１１２は、通信部１１１による無線制御装置１３０との通信の障害を検出する。制御部１１３は、検出部１１２によって障害が検出された場合に、障害を示す障害情報を、無線端末装置１２２が受信可能な共通チャネルで通信部１１１によって無線送信させる。【選択図】図１Ａ
2015091060.tif 000002
【特許請求の範囲】
【請求項１】
無線端末装置との無線通信および無線制御装置との通信によって前記無線端末装置と前記無線制御装置との間の通信を中継する通信部と、
前記通信部による前記無線制御装置との通信の障害を検出する検出部と、
前記検出部によって前記障害が検出された場合に、前記障害を示す障害情報を、無線端末装置が受信可能な共通チャネルで前記通信部によって無線送信させる制御部と、
を備えることを特徴とする基地局装置。
【請求項２】
前記制御部は、前記共通チャネルから前記障害情報を無線送信することにより、前記共通チャネルから前記障害情報を受信した無線端末装置に前記障害情報を他の基地局装置へ無線送信させ、前記他の基地局装置に前記障害情報を遠隔監視装置へ送信させることを特徴とする請求項１に記載の基地局装置。
【請求項３】
前記制御部は、前記検出部によって前記障害が検出され、前記障害情報を受信した無線端末装置が自装置に無線接続していた場合に、前記障害情報を受信した無線端末装置の無線接続を他の基地局装置へ切り替えさせることを特徴とする請求項１または２に記載の基地局装置。
【請求項４】
無線端末装置との無線通信および無線制御装置との通信によって前記無線端末装置と前記無線制御装置との間の通信を中継し、前記無線制御装置との通信の障害を検出した場合に前記障害を示す障害情報を共通チャネルで無線送信する第１基地局装置と、
前記共通チャネルから前記障害情報を受信し、受信した障害情報を、前記第１基地局装置と異なる第２基地局装置へ無線送信する無線端末装置と、
を含むことを特徴とする無線アクセスシステム。
【請求項５】
前記障害情報を受信した無線端末装置は、前記第１基地局装置に無線接続していた場合に、前記第１基地局装置と異なる基地局装置へ無線接続を切り替えることを特徴とする請求項４に記載の無線アクセスシステム。
【請求項６】
前記障害情報を受信した無線端末装置は、前記障害情報をランダムアクセスチャネルで前記第２基地局装置へ無線送信することを特徴とする請求項４または５に記載の無線アクセスシステム。
【請求項７】
前記障害情報を受信した無線端末装置は、無線送信した前記障害情報に対する前記第２基地局装置からの応答情報を共通チャネルで受信し、受信した応答情報を前記第１基地局装置へ無線送信することを特徴とする請求項４〜６のいずれか一つに記載の無線アクセスシステム。
【発明の詳細な説明】
【技術分野】
【０００１】
本発明は、基地局装置および無線アクセスシステムに関する。
【背景技術】
【０００２】
従来、移動体通信システムにおいて、基地局装置の機能を、ＣＰＲＩ（Ｃｏｍｍｏｎ  Ｐｕｂｌｉｃ  Ｒａｄｉｏ  Ｉｎｔｅｒｆａｃｅ）を介して接続されたＲＥＣ（Ｒａｄｉｏ  Ｅｑｕｉｐｍｅｎｔ  Ｃｏｎｔｒｏｌ：無線制御部）とＲＥ（Ｒａｄｉｏ  Ｅｑｕｉｐｍｅｎｔ：無線部）とに分割する技術が知られている。
【０００３】
また、制御局と基地局の回線が切断された際に、隣接基地局との基地局間通信を行うことにより緊急回線を確保し、切断された基地局ゾーンの回線復旧までのシステムダウンを防ぐ技術が知られている（たとえば、下記特許文献１参照。）。
【０００４】
また、通話中に回線異常が発生した場合にその回線を切断することなく異常発生部の絞り込みを行う技術が知られている（たとえば、下記特許文献２参照。）。また、ＣＰＲＩを無線制御部と無線部間の内部インタフェースに採用した無線基地局のＣＰＲＩリンク障害に対処する技術が知られている（たとえば、下記特許文献３参照。）。
【先行技術文献】
【特許文献】
【０００５】
【特許文献１】特開２００１−４５５６９号公報
【特許文献２】特開平１１−２１５０４２号公報
【特許文献３】特開２００８−９９１３７号公報
【発明の概要】
【発明が解決しようとする課題】
【０００６】
しかしながら、上述した従来技術では、無線部と無線制御部との間の通信に障害が発生した場合に、発生した障害に関する無線部の障害情報をネットワーク側へ送信することが困難である。このため、障害原因の特定に要する時間が長くなるという問題がある。
【０００７】
１つの側面では、本発明は、障害原因の特定に要する時間の削減を図ることができる基地局装置および無線アクセスシステムを提供することを目的とする。
【課題を解決するための手段】
【０００８】
上述した課題を解決し、目的を達成するため、本発明の一側面によれば、第１基地局装置が、無線端末装置との無線通信および無線制御装置との通信によって前記無線端末装置と前記無線制御装置との間の通信を中継し、前記無線制御装置との通信の障害を検出した場合に前記障害を示す障害情報を共通チャネルで無線送信し、無線端末装置が、前記共通チャネルから前記障害情報を受信し、受信した障害情報を、前記第１基地局装置と異なる第２基地局装置へ無線送信する基地局装置および無線アクセスシステムが提案される。
【発明の効果】
【０００９】
本発明の一側面によれば、障害原因の特定に要する時間の削減を図ることができるという効果を奏する。
【図面の簡単な説明】
【００１０】
【図１Ａ】図１Ａは、実施の形態１にかかる無線アクセスシステムの一例を示す図である。
【図１Ｂ】図１Ｂは、図１Ａに示した無線アクセスシステムにおける信号の流れの一例を示す図である。
【図２】図２は、実施の形態２にかかる通信システムの一例を示す図である。
【図３】図３は、実施の形態２にかかる通信システムの動作の一例を示すシーケンス図である。
【図４】図４は、不具合情報の一例を示す図である。
【図５】図５は、不具合ビットの一例を示す図である。
【図６】図６は、不具合原因の特定方法の一例を示す図である。
【図７Ａ】図７Ａは、ＲＥの構成の一例を示す図である。
【図７Ｂ】図７Ｂは、図７Ａに示したＲＥにおける信号の流れの一例を示す図である。
【図８Ａ】図８Ａは、ＵＥの構成の一例を示す図である。
【図８Ｂ】図８Ｂは、図８Ａに示したＵＥにおける信号の流れの一例を示す図である。
【図９】図９は、ＲＥによる処理の一例を示すフローチャート（その１）である。
【図１０】図１０は、ＲＥによる処理の一例を示すフローチャート（その２）である。
【図１１】図１１は、他ＲＥ不具合情報の受信時の処理の一例を示すフローチャートである。
【図１２】図１２は、ＵＥによる処理の一例を示すフローチャートである。
【発明を実施するための形態】
【００１１】
以下に図面を参照して、本発明にかかる基地局装置および無線アクセスシステムの実施の形態を詳細に説明する。
【００１２】
（実施の形態１）
（実施の形態１にかかる無線アクセスシステム）
図１Ａは、実施の形態１にかかる無線アクセスシステムの一例を示す図である。図１Ｂは、図１Ａに示した無線アクセスシステムにおける信号の流れの一例を示す図である。図１Ａ，図１Ｂに示すように、実施の形態１にかかる無線アクセスシステム１００は、基地局装置１１０，１４０と、無線制御装置１３０と、遠隔監視装置１５０と、無線端末装置１２１，１２２と、を含む。
【００１３】
無線端末装置１２１，１２２は、同一の無線端末装置であってもよい。また、無線端末装置１２１，１２２のそれぞれは、基地局装置１１０や基地局装置１４０に接続中の無線端末装置であってもよいし、基地局装置１１０や基地局装置１４０に接続していない無線端末装置であってもよい。
【００１４】
基地局装置１１０は、無線端末装置１２１，１２２との間で無線通信が可能である。また、基地局装置１１０は、たとえば、無線制御装置１３０を介してネットワークに接続されており、無線制御装置１３０からの制御によって無線通信を行う。基地局装置１１０は、通信部１１１と、検出部１１２と、制御部１１３と、を備える。
【００１５】
通信部１１１は、無線端末装置１２１との無線通信と、無線制御装置１３０との通信と、によって無線端末装置１２１と無線制御装置１３０との間の通信を中継する。通信部１１１による無線制御装置１３０との通信は、無線通信でもよいし、有線通信でもよい。検出部１１２は、通信部１１１による無線制御装置１３０との通信の障害を検出する。そして、検出部１１２は、障害の検出結果を制御部１１３へ通知する。
【００１６】
制御部１１３は、検出部１１２から通知された検出結果に基づいて、通信部１１１による無線制御装置１３０との通信の障害が検出された場合に、通信部１１１を制御して、検出された障害を示す障害情報を共通チャネルで無線送信させる。共通チャネルは、基地局装置１１０のセル内に在圏する無線端末装置（たとえば無線端末装置１２１，１２２）によって受信可能な無線チャネルである。
【００１７】
無線端末装置１２２は、基地局装置１１０から無線送信された障害情報を共通チャネルから受信し、受信した障害情報を基地局装置１４０へ無線送信する。基地局装置１４０は、基地局装置１１０と異なる無線基地局である。基地局装置１４０は、無線端末装置１２２によって無線送信された障害情報を受信し、受信した障害情報を遠隔監視装置１５０へ送信する。基地局装置１４０と遠隔監視装置１５０との間の通信は、無線通信でもよいし、有線通信でもよい。
【００１８】
遠隔監視装置１５０は、基地局装置１１０，１４０の監視を行う装置である。また、遠隔監視装置１５０は、無線制御装置１３０に接続されていてもよい。この場合は、遠隔監視装置１５０は、基地局装置１１０と無線制御装置１３０との間の通信に障害が発生していない場合は基地局装置１１０からの障害情報などの情報を、無線制御装置１３０を介して受信してもよい。
【００１９】
このように、基地局装置１１０が無線制御装置１３０との間の通信の障害を検出した場合に障害情報を共通チャネルにより無線送信することにより、無線端末装置１２２および基地局装置１４０を介して遠隔監視装置１５０へ障害情報を送信することができる。
【００２０】
これにより、基地局装置１１０と無線制御装置１３０との間の通信に障害が発生している状況でも基地局装置１１０からの障害情報を遠隔監視装置１５０へ送信できるため、遠隔監視装置１５０において障害情報の取得が容易になる。このため、障害原因の特定に要する時間の削減を図ることができる。
【００２１】
また、基地局装置１１０を介して無線制御装置１３０と通信が可能な無線端末装置１２２を経由して障害情報を送信することにより、障害情報を転送するための通信装置を追加しなくても、障害情報を遠隔監視装置１５０へ送信することができる。
【００２２】
また、共通チャネルを用いて障害情報を無線送信することにより、基地局装置１１０に無線端末装置１２２が無線接続していなくても、無線端末装置１２２に障害情報を受信させることができる。
【００２３】
＜無線端末装置の無線接続の切り替え＞
また、無線端末装置１２２は、基地局装置１１０からの障害情報を受信した際に基地局装置１１０に無線接続していた場合に、基地局装置１１０と異なる基地局装置（たとえば基地局装置１４０）へ無線接続を切り替えるようにしてもよい。
【００２４】
これにより、無線端末装置１２２は、ネットワーク側（無線制御装置１３０）との通信に障害が発生した基地局装置１１０との無線接続を他の基地局装置との無線接続へ切り替え、ネットワーク側との通信が不可となる期間を短縮することができる。無線接続の切り替え先は、障害情報の送信先の基地局装置１４０に限らず、基地局装置１１０および基地局装置１４０と異なる基地局装置であってもよい。
【００２５】
また、無線端末装置１２２が基地局装置１１０からの障害情報を受信した場合の無線端末装置１２２の無線接続の切り替えは、基地局装置１１０からの制御によって行われてもよい。この場合は、たとえば基地局装置１１０の制御部１１３が、通信部１１１を介して無線端末装置１２２の制御を行うことによって、無線端末装置１２２の無線接続を他の基地局装置へ切り替えさせる。
【００２６】
＜無線端末装置による障害情報の無線送信＞
無線端末装置１２２は、基地局装置１１０からの障害情報を、たとえばランダムアクセスチャネルで無線送信する。これにより、無線端末装置１２２が基地局装置１４０に無線接続していなくても、障害情報を基地局装置１４０へ無線送信することができる。
【００２７】
＜応答情報の転送＞
無線端末装置１２２は、無線送信した障害情報に対する基地局装置１４０からの応答情報を共通チャネルで受信し、受信した応答情報を基地局装置１１０へ無線送信するようにしてもよい。これにより、障害情報が他の基地局装置（基地局装置１４０）に受信されたことを基地局装置１１０へ通知することができる。
【００２８】
また、無線端末装置１２２による応答情報の無線送信は、たとえばランダムアクセスチャネルを用いて行うことができる。これにより、無線端末装置１２２が基地局装置１１０に無線接続していなくても、応答情報を基地局装置１１０へ無線送信することができる。
【００２９】
＜無線端末装置による障害情報の無線送信の継続＞
また、無線端末装置１２２は、基地局装置１１０と異なる基地局装置（たとえば基地局装置１４０）からの応答情報を受信するまで、基地局装置１１０からの障害情報の無線送信を繰り返すようにしてもよい。これにより、障害情報の無線送信を、障害情報が基地局装置１４０に受信されるまで継続することができる。
【００３０】
＜基地局装置による障害情報の無線送信の継続＞
また、基地局装置１１０は、障害情報の無線送信を、無線端末装置１２２によって無線送信された応答情報を受信するまで繰り返すようにしてもよい。これにより、基地局装置１１０からの障害情報の無線送信を、障害情報が無線端末装置１２２を介して基地局装置１４０に受信されるまで継続することができる。
【００３１】
（実施の形態２）
（実施の形態２にかかる通信システム）
図２は、実施の形態２にかかる通信システムの一例を示す図である。図２に示すように、実施の形態２にかかる通信システム２００は、ＵＥ２０１（Ｕｓｅｒ  Ｅｑｕｉｐｍｅｎｔ：ユーザ端末）と、ＲＥ２１１，２１２と、ＲＥＣ２３１，２３２と、遠隔監視装置２４０と、を含む。
【００３２】
サービスエリア２２１，２２２は、それぞれＲＥ２１１，２１２のサービスエリア（セル）である。図２に示す例では、ＵＥ２０１は、サービスエリア２２１，２２２の重複部分に位置しており、ＲＥ２１１，２１２のいずれとも無線通信が可能な状態である。
【００３３】
ＲＥ２１１は、ＲＥＣ２３１に光ファイバなどによって接続されており、ＲＥＣ２３１からの制御によって無線通信を行う。ＲＥ２１１とＲＥＣ２３１との間の通信には、たとえばＣＰＲＩリンクを用いることができる。ＲＥ２１２は、ＲＥＣ２３２に光ファイバなどによって接続されており、ＲＥＣ２３２からの制御によって無線通信を行う。ＲＥ２１２とＲＥＣ２３２との間の通信には、たとえばＣＰＲＩリンクを用いることができる。
【００３４】
ＲＥＣ２３１は、ＲＥ２１１の無線通信を制御するとともに、ＲＥ２１１とネットワークとの間の通信を中継する。また、ＲＥＣ２３１は、ＲＥ２１１の不具合情報（障害情報）などの情報をＲＥ２１１から受信し、受信した情報を遠隔監視装置２４０へ送信する。ＲＥＣ２３２は、ＲＥ２１２の無線通信を制御するとともに、ＲＥ２１２とネットワークとの間の通信を中継する。また、ＲＥＣ２３２は、ＲＥ２１２の不具合情報などの情報をＲＥ２１２から受信し、受信した情報を遠隔監視装置２４０へ送信する。
【００３５】
遠隔監視装置２４０は、ＲＥＣ２３１，２３２を介してＲＥ２１１，２１２に関する情報を受信することにより、ＲＥ２１１，２１２を監視するＯＰＳ（ＯＰｅｒａｔｉｏｎ  Ｓｙｓｔｅｍ）である。
【００３６】
図１Ａ，図１Ｂに示した無線アクセスシステム１００は、たとえば通信システム２００により実現することができる。この場合に、図１Ａ，図１Ｂに示した基地局装置１１０は、たとえばＲＥ２１１により実現することができる。また、図１Ａ，図１Ｂに示した無線端末装置１２１，１２２は、たとえばＵＥ２０１により実現することができる。
【００３７】
また、図１Ａ，図１Ｂに示した無線制御装置１３０は、たとえばＲＥＣ２３１により実現することができる。また、図１Ａ，図１Ｂに示した基地局装置１４０は、たとえばＲＥ２１２およびＲＥＣ２３２により実現することができる。また、図１Ａ，図１Ｂに示した遠隔監視装置１５０は、たとえば遠隔監視装置２４０により実現することができる。
【００３８】
ＲＥ２１１は、ＲＥＣ２３１との間の通信障害時に無線送信を継続する。また、ＲＥ２１１は、ＲＥＣ２３１との間の通信障害を契機として、ＲＥＣ２３１との間の通信障害に絡む不具合要因を予め規定したビット情報（不具合情報）として共通ＣＨ（共通チャネル）に乗せ、無線区間に送信する。
【００３９】
ＲＥ２１２は、ＲＥＣ２３２との間の通信障害時に無線送信を継続する。また、ＲＥ２１２は、ＲＥＣ２３２との間の通信障害を契機として、ＲＥＣ２３２との間の通信障害に絡む不具合要因を予め規定したビット情報として共通ＣＨに乗せ、無線区間に送信する。
【００４０】
また、ＲＥ２１２は、ＵＥ２０１から受信した他ＲＥ装置（ＲＥ２１１）の不具合情報を遠隔監視装置２４０へ送信する。また、ＲＥ２１１は、ＵＥ２０１から受信した他ＲＥ装置（ＲＥ２１２）の不具合情報を遠隔監視装置２４０へ送信する。
【００４１】
ＵＥ２０１は、ＲＥ２１１，２１２の不具合情報を共通ＣＨから受信すると、受信した不具合情報を、不具合情報の送信元のセルとは別の、サービス継続中のＲＥへＲＡＣＨ（Ｒａｎｄｏｍ  Ａｃｃｅｓｓ  Ｃｈａｎｎｅｌ：ランダムアクセスチャネル）に乗せて送信する。
【００４２】
図２に示す例では、ＲＥ２１１とＲＥＣ２３１との間の通信障害が発生した場合について説明する。この場合は、ＲＥ２１１が不具合情報を共通ＣＨで無線送信し、ＵＥ２０１がＲＥ２１１からの不具合情報を受信する。そして、ＵＥ２０１が、受信した不具合情報をＲＥ２１２へＲＡＣＨで無線送信する。ＲＥ２１２は、ＵＥ２０１から受信した不具合情報を、ＲＥＣ２３２を介して遠隔監視装置２４０へ送信する。
【００４３】
これにより、ＲＥ２１１とＲＥＣ２３１との間の通信障害時に、ＲＥ２１１からの不具合情報を遠隔監視装置２４０へ送信することができる。このため、遠隔監視装置２４０において不具合情報の取得が容易になる。このため、障害原因の特定に要する時間の削減を図ることができる。
【００４４】
また、ＵＥ２０１は、ＲＥ２１１に接続している状態でＲＥ２１１からの不具合情報を受信した場合に、受信した不具合情報をＲＥ２１２へ無線送信するとともに、自律的に他セル（たとえばＲＥ２１２）への再接続を行ってもよい。
【００４５】
これにより、ＲＥ２１１が不具合情報の送信のために無線送信を継続しており、ＲＥ２１１とＵＥ２０１との間の無線伝搬品質が良好であっても、ＵＥ２０１は他セルへ無線接続を切り替えることができる。このため、ＵＥ２０１とネットワークとの間の通信が不可になる時間を短縮することができる。
【００４６】
（実施の形態２にかかる通信システムの動作）
図３は、実施の形態２にかかる通信システムの動作の一例を示すシーケンス図である。通信システム２００は、たとえば図３に示す各ステップのように動作する。初期状態において、ＲＥ２１１の運用モードは運用モード１であるとする。運用モード１は、ＲＥ２１１がＵＥ２０１およびＲＥＣ２３１との間で通信を行うことにより、ＲＥ２１１とＲＥＣ２３１との間の通信を中継する運用モードである。
【００４７】
まず、ＲＥ２１１において不具合が発生し、ＲＥ２１１がＣＰＲＩの切断を検出したとする（ステップＳ３０１）。つぎに、ＲＥ２１１が、運用モードを運用モード２に設定する（ステップＳ３０２）。運用モード２は、ＲＥ２１１とＲＥＣ２３１との間の通信障害が検出されたことにより、ＲＥ２１１が不具合情報（Ａ１）を繰り返し無線送信する運用モードである。
【００４８】
つぎに、ＲＥ２１１が、不具合を通知する不具合情報（Ａ１）を共通ＣＨにより無線送信する（ステップＳ３０３）。また、このとき、ＲＥＣ２３１も、ＲＥ２１１との通信断に関する不具合情報を遠隔監視装置２４０へ送信してもよい。
【００４９】
つぎに、ＵＥ２０１がステップＳ３０３によって無線送信された不具合情報（Ａ１）を認識する（ステップＳ３０４）。つぎに、ＵＥ２０１が、ステップＳ３０４によって認識した不具合情報（Ａ１）をＲＡＣＨにより無線送信する（ステップＳ３０５）。
【００５０】
つぎに、ＲＥ２１２が、ステップＳ３０５によって無線送信された不具合情報（Ａ１）を受信する。そして、ＲＥ２１２が、受信した不具合情報（Ａ１）を、ＲＥＣ２３２を介して遠隔監視装置２４０へ送信する（ステップＳ３０６）。また、ＲＥ２１２が、不具合情報（Ａ１）を通知済みであることを示す不具合情報（Ａ２）を共通ＣＨにより無線送信する（ステップＳ３０７）。
【００５１】
つぎに、ＵＥ２０１が、ステップＳ３０７によって無線送信された不具合情報（Ａ２）を受信する。そして、ＵＥ２０１が、受信した不具合情報（Ａ２）をＲＡＣＨにより無線送信する（ステップＳ３０８）。なお、不具合情報（Ａ２）を受信するＵＥ２０１は、不具合情報（Ａ１）を転送したＵＥ２０１とは異なるＵＥであってもよい。
【００５２】
つぎに、ＲＥ２１１が、ステップＳ３０８によって無線送信された不具合情報（Ａ２）を受信し、運用モードを運用モード３に設定する（ステップＳ３０９）。運用モード３は、無線信号の送受信を停止する運用モードである。ステップＳ３０９により、ＲＥ２１１は、不具合情報（Ａ１）を含む各無線信号の送受信を停止する。
【００５３】
一方、遠隔監視装置２４０は、ステップＳ３０６によって送信された不具合情報（Ａ１）に基づいてＲＥ２１１の不具合原因を特定する（ステップＳ３１０）。そして、ステップＳ３１０によって特定された不具合原因に基づくＲＥ２１１の復旧作業３０１が行われる。なお、ステップＳ３１０における不具合原因の特定は、遠隔監視装置２４０ではなく、遠隔監視装置２４０のユーザ（保守者）によって行われてもよい。この場合は、遠隔監視装置２４０は、ステップＳ３０６によって送信された不具合情報（Ａ１）が示す不具合に関する情報をユーザへ出力する。
【００５４】
ＲＥ２１１は、復旧作業３０１によって不具合から復旧すると、運用モードを運用モード１に設定する（ステップＳ３１１）。これにより、ＲＥ２１１は、各無線信号の送受信を再開する。
【００５５】
このように、通信システム２００においては、ＲＥ２１１が、ＲＥＣ２３１との間の通信障害を検出した場合に、無線電波の送受信を停止せずに運用モード２に移行し、不具合情報（Ａ１）を共通ＣＨに乗せて無線送信する。これにより、ＲＥ２１１からの不具合情報（Ａ１）がＵＥ２０１および正常運用中のＲＥ２１２を経由して遠隔監視装置２４０に到達する。これにより、遠隔監視装置２４０において、ＲＥ２１１からの不具合情報（Ａ１）と、ＲＥＣ２３１からの不具合情報と、に基づく複合的な原因特定が可能になる。
【００５６】
また、不具合情報（Ａ１）がＵＥ２０１を経由してＲＥ２１２によって受信されたことを通知する不具合情報（Ａ２）が逆経路でＲＥ２１１へ送信される。ＲＥ２１１は、不具合情報（Ａ２）を受信すると、運用モード３に移行して無線送信を停止する。そして、ＲＥ２１１は、ＲＥＣ２３１との間の通信障害の復旧を契機に運用モード１に戻る。
【００５７】
（不具合情報）
図４は、不具合情報の一例を示す図である。上述した不具合情報には、たとえば図４に示す不具合情報４００を用いることができる。不具合情報４００は、セルＩＤ（ＲＥ  ＩＤ）と、不具合ビットと、通知ビットと、を含む。セルＩＤ（ＲＥ  ＩＤ）は、不具合情報４００が示す不具合が発生したＲＥのセルＩＤ（ＲＥ  ＩＤ）である。不具合ビットは、不具合情報４００が示す不具合の内容を示す情報である（たとえば図５参照）。
【００５８】
通知ビットは、不具合情報４００が、不具合を通知するための不具合情報（Ａ１）であるか、不具合情報（Ａ１）の受領を通知するための不具合情報（Ａ２）であるか、を示す情報である。たとえば、通知ビットが“０”（初通知）である場合は、不具合情報４００が不具合を通知するための不具合情報（Ａ１）であることを示す。通知ビットが“１”（通知済み）である場合は、不具合情報４００が不具合情報（Ａ１）の受領を通知するための不具合情報（Ａ２）であることを示す。
【００５９】
（不具合ビット）
図５は、不具合ビットの一例を示す図である。図４に示した不具合情報４００に含まれる不具合ビットの各値が示す不具合の内容は、たとえば図５のテーブル５００に示す内容とすることができる。たとえば、不具合ビットが“００００  ００００  ００００  ０００１”である場合は、ＣＰＲＩリンクの断が発生したことを示す。
【００６０】
また、不具合ビットが“００００  ００００  ００００  ００１０”である場合は、光／電気変換部（たとえば図７Ａ，図７Ｂの電気／光変換部７０８や光／電気変換部７１０。）の故障が発生したことを示す。また、不具合ビットが“００００  ００００  ００００  ０１００”である場合は、ＣＰＲＩ受信部（たとえば図７Ａ，図７ＢのＣＰＲＩ受信部７１１）の故障が発生したことを示す。
【００６１】
（不具合原因の特定方法）
図６は、不具合原因の特定方法の一例を示す図である。図４に示した不具合情報４００に基づく不具合原因の特定は、たとえば図６に示すテーブル６００のように行うことができる。図６に示す例では、ＲＥ２１１の不具合原因を特定する場合について説明する。テーブル６００において、「ＲＥＣ」の“×”および“○”は、それぞれＲＥＣ２３１に不具合がある場合とＲＥＣ２３１に不具合がない場合とを示している。ＲＥＣ２３１の不具合の有無は、一般的に具備されているＲＥＣ２３１から遠隔監視装置２４０への不具合通知手段により得ることができる。
【００６２】
テーブル６００において、「ＲＥ」の“×”および“○”は、それぞれＲＥ２１１に不具合がある場合とＲＥ２１１に不具合がない場合とを示している。ＲＥ２１１の不具合の有無は、たとえばＲＥ２１１とＲＥＣ２３１との間の通信断が発生していない場合は、ＲＥ２１１からＲＥＣ２３１を介して送信された不具合情報（Ａ１）を遠隔監視装置２４０が受信することにより得ることができる。また、ＲＥ２１１の不具合の有無は、ＲＥ２１１とＲＥＣ２３１との間の通信断が発生している場合は、ＲＥ２１１からＵＥ２０１およびＲＥＣ２３２を介して送信された不具合情報（Ａ１）を遠隔監視装置２４０が受信することにより得ることができる。
【００６３】
たとえば、図５に示した不具合情報（Ａ１）の不具合ビットが“００００  ００００  ００００  ０００１”である場合は、ＣＰＲＩリンクの断であるため、テーブル６００の「ＲＥ」は“○”と判断することができる。
【００６４】
また、図５に示した不具合情報（Ａ１）の不具合ビットが“００００  ００００  ００００  ００１０”である場合は、光／電気変換部の故障であるため、テーブル６００の「ＲＥ」は“×”と判断することができる。
【００６５】
また、図５に示した不具合情報（Ａ１）の不具合ビットが“００００  ００００  ００００  ０１００”である場合は、ＣＰＲＩ受信部の故障であるため、テーブル６００の「ＲＥ」は“×”と判断することができる。
【００６６】
たとえば、「ＲＥＣ」および「ＲＥ」が“○”である場合は、ＲＥ２１１とＲＥＣ２３１との間の光ケーブルの断線や嵌合不良であると判断することができる。この場合は、たとえばＲＥ２１１とＲＥＣ２３１との間の光ケーブルの交換や調整等によって対応することができる。
【００６７】
また、「ＲＥＣ」が“×”であり「ＲＥ」が“○”である場合は、ＲＥＣ２３１の側の機能部の故障であると判断することができる。この場合は、たとえばＲＥＣ２３１の交換や調整等によって対応することができる。また、「ＲＥＣ」が“○”であり「ＲＥ」が“×”である場合は、ＲＥ２１１の側の機能部の故障であると判断することができる。この場合は、たとえばＲＥ２１１の交換や調整等によって対応することができる。
【００６８】
（ＲＥの構成）
図７Ａは、ＲＥの構成の一例を示す図である。図７Ｂは、図７Ａに示したＲＥにおける信号の流れの一例を示す図である。ＲＥ２１１，２１２のそれぞれは、たとえば図７Ａ，図７Ｂに示すＲＥ７００により実現することができる。
【００６９】
ＲＥ７００は、アンテナ部７０１と、アンテナ共用部７０２と、受信フィルタ部７０３と、無線受信部７０４と、アナログ／デジタル変換部７０５と、復調部７０６と、ＣＰＲＩ送信部７０７と、電気／光変換部７０８と、光送受共用部７０９と、を備える。また、ＲＥ７００は、光／電気変換部７１０と、ＣＰＲＩ受信部７１１と、変調部７１２と、デジタル／アナログ変換部７１３と、無線送信部７１４と、送信フィルタ部７１５と、を備える。また、ＲＥ７００は、不具合検出部７１６と、ＲＡＣＨ受信部７１７と、他ＲＥ不具合抽出部７１８と、共通ＣＨ送信部７１９と、運用モード制御部７２０と、を備える。
【００７０】
復調部７０６、ＣＰＲＩ送信部７０７、ＣＰＲＩ受信部７１１および変調部７１２は、たとえばデジタル回路７３０により実現することができる。また、不具合検出部７１６、ＲＡＣＨ受信部７１７、他ＲＥ不具合抽出部７１８、共通ＣＨ送信部７１９および運用モード制御部７２０は、たとえばデジタル回路７３０により実現することができる。デジタル回路７３０は、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などにより実現することができる。
【００７１】
アンテナ部７０１は、他の通信装置（たとえばＵＥ２０１）から無線送信された信号を受信し、受信した信号をアンテナ共用部７０２へ出力する。また、アンテナ部７０１は、アンテナ共用部７０２から出力された信号を他の通信装置へ無線送信する。
【００７２】
アンテナ共用部７０２は、アンテナ部７０１から出力された信号を受信フィルタ部７０３へ出力する。また、アンテナ共用部７０２は、送信フィルタ部７１５から出力された信号をアンテナ部７０１へ出力する。
【００７３】
受信フィルタ部７０３は、アンテナ共用部７０２から出力された信号のうちのＲＥ７００の受信帯域成分の信号を抽出し、抽出した信号を無線受信部７０４へ出力する。無線受信部７０４は、受信フィルタ部７０３から出力された信号の受信処理を行う。無線受信部７０４は、受信処理によって得られた信号をアナログ／デジタル変換部７０５へ出力する。また、無線受信部７０４は、運用モード制御部７２０によって設定される運用モードに基づいて、無線信号の受信の実行および停止を切り替える。
【００７４】
アナログ／デジタル変換部７０５は、無線受信部７０４から出力された信号をアナログ信号からデジタル信号に変換し、デジタルに変換した信号を復調部７０６へ出力する。復調部７０６は、アナログ／デジタル変換部７０５から出力された信号を復調し、復調により得られたデータをＣＰＲＩ送信部７０７およびＲＡＣＨ受信部７１７へ出力する。
【００７５】
ＣＰＲＩ送信部７０７は、復調部７０６から出力されたデータをＣＰＲＩフレームに格納し、データを格納したＣＰＲＩフレームを電気／光変換部７０８へ出力する。また、ＣＰＲＩ送信部７０７は、他ＲＥ不具合抽出部７１８から出力された不具合情報（Ａ１）をＣＰＲＩフレームに格納し、不具合情報（Ａ１）を格納したＣＰＲＩフレームを電気／光変換部７０８へ出力する。電気／光変換部７０８は、ＣＰＲＩ送信部７０７から出力されたＣＰＲＩフレームを電気信号から光信号に変換し、光信号に変換したＣＰＲＩフレームを光送受共用部７０９へ出力する。
【００７６】
光送受共用部７０９は、電気／光変換部７０８から出力されたＣＰＲＩフレームを、ＲＥＣ２３１，２３２のうちのＲＥ７００に接続されたＲＥＣへ送信する。また、光送受共用部７０９は、ＲＥＣ２３１，２３２のうちのＲＥ７００に接続されたＲＥＣから受信したＣＰＲＩフレームを光／電気変換部７１０へ出力する。
【００７７】
光／電気変換部７１０は、光送受共用部７０９から出力されたＣＰＲＩフレームを光信号から電気信号に変換し、電気信号に変換したＣＰＲＩフレームをＣＰＲＩ受信部７１１へ出力する。ＣＰＲＩ受信部７１１は、光／電気変換部７１０から出力されたＣＰＲＩフレームの受信処理を行い、受信処理により得られたデータを変調部７１２へ出力する。
【００７８】
変調部７１２は、ＣＰＲＩ受信部７１１から出力されたデータに基づく変調を行う。また、変調部７１２は、共通ＣＨ送信部７１９から出力された不具合情報（Ａ１，Ａ２）に基づく変調を行う。そして、変調部７１２は、変調により得られた信号をデジタル／アナログ変換部７１３へ出力する。デジタル／アナログ変換部７１３は、変調部７１２から出力された信号をデジタル信号からアナログ信号に変換し、アナログ信号に変換した信号を無線送信部７１４へ出力する。
【００７９】
無線送信部７１４は、デジタル／アナログ変換部７１３から出力された信号を送信フィルタ部７１５へ出力する。また、無線送信部７１４は、運用モード制御部７２０により設定される運用モードに基づいて、無線信号の送信の実行および停止を切り替える。送信フィルタ部７１５は、無線送信部７１４から出力された信号のうちのＲＥ７００の送信帯域成分の信号を抽出し、抽出した信号をアンテナ共用部７０２へ出力する。
【００８０】
不具合検出部７１６は、ＲＥ７００における各種の不具合を検出する。不具合検出部７１６による検出の対象の不具合には、たとえばＲＥ７００に接続されたＲＥＣとの間の通信の断（ＲＥＣ通信断）が含まれる。不具合検出部７１６は、ＲＥＣ通信断を検出すると、通知ビットに０を格納した不具合情報（Ａ１）を生成し、生成した不具合情報（Ａ１）を共通ＣＨ送信部７１９へ出力する。また、不具合検出部７１６は、ＲＥＣ通信断の検出を運用モード制御部７２０へ通知する。
【００８１】
ＲＡＣＨ受信部７１７は、復調部７０６から出力されたデータに含まれるＲＡＣＨの受信処理を行い、受信処理結果を他ＲＥ不具合抽出部７１８および運用モード制御部７２０へ出力する。
【００８２】
他ＲＥ不具合抽出部７１８は、ＲＡＣＨ受信部７１７から出力された受信処理結果から他のＲＥの不具合情報（Ａ１）を抽出する。そして、他ＲＥ不具合抽出部７１８は、抽出した不具合情報（Ａ１）をＣＰＲＩ送信部７０７へ出力する。また、他ＲＥ不具合抽出部７１８は、抽出した不具合情報（Ａ１）の通知ビットを０から１に置換し、通知ビットを置換した不具合情報（Ａ２）を共通ＣＨ送信部７１９へ出力する。
【００８３】
共通ＣＨ送信部７１９は、不具合検出部７１６から出力された不具合情報（Ａ１）を変調部７１２へ出力することにより、不具合情報（Ａ１）を共通ＣＨにより無線送信する。また、共通ＣＨ送信部７１９は、他ＲＥ不具合抽出部７１８から出力された不具合情報（Ａ２）を変調部７１２へ出力することにより、不具合情報（Ａ２）を共通ＣＨにより無線送信する。
【００８４】
運用モード制御部７２０は、ＲＥ７００の運用モードの制御を行う。たとえば、運用モード制御部７２０は、初期状態において運用モードを運用モード１に設定し、無線受信部７０４および無線送信部７１４に対して無線信号の送受信を実行させる。また、運用モード制御部７２０は、不具合検出部７１６からＲＥＣ通信断の検出が通知されると、運用モードを運用モード２に設定し、無線送信部７１４によって不具合情報（Ａ１）を送信させるとともに、無線受信部７０４によって不具合情報（Ａ２）を受信させる。
【００８５】
また、運用モード制御部７２０は、ＲＡＣＨ受信部７１７から出力された受信処理結果にＲＥ７００のセルＩＤを含む不具合情報（Ａ２）が含まれていた場合に、運用モードを運用モード３に設定する。そして、運用モード制御部７２０は、無線受信部７０４および無線送信部７１４に対して無線信号の送受信を停止させる。また、運用モード制御部７２０は、ＲＥ７００がＲＥＣ通信断から復帰した場合などに、たとえばＲＥ７００の管理者からの操作により、運用モードを運用モード１に戻す。
【００８６】
図１Ａ，図１Ｂに示した通信部１１１は、たとえばアンテナ部７０１、アンテナ共用部７０２、受信フィルタ部７０３、無線受信部７０４、アナログ／デジタル変換部７０５、復調部７０６、ＣＰＲＩ送信部７０７、電気／光変換部７０８、光送受共用部７０９、光／電気変換部７１０、ＣＰＲＩ受信部７１１、変調部７１２、デジタル／アナログ変換部７１３、無線送信部７１４および送信フィルタ部７１５によって実現することができる。
【００８７】
図１Ａ，図１Ｂに示した検出部１１２は、たとえば不具合検出部７１６によって実現することができる。図１Ａ，図１Ｂに示した制御部１１３は、たとえばＲＡＣＨ受信部７１７、他ＲＥ不具合抽出部７１８、共通ＣＨ送信部７１９および運用モード制御部７２０によって実現することができる。
【００８８】
（ＵＥの構成）
図８Ａは、ＵＥの構成の一例を示す図である。図８Ｂは、図８Ａに示したＵＥにおける信号の流れの一例を示す図である。ＵＥ２０１は、たとえば図８Ａ，図８Ｂに示すＵＥ８００により実現することができる。
【００８９】
ＵＥ８００は、アンテナ部８０１と、アンテナ共用部８０２と、受信フィルタ部８０３と、無線受信部８０４と、アナログ／デジタル変換部８０５と、復調部８０６と、呼処理制御部８０７と、出力部８０８と、を備える。また、ＵＥ８００は、信号判定部８０９と、ＲＡＣＨ送信部８１０と、入力部８１１と、呼処理制御部８１２と、変調部８１３と、デジタル／アナログ変換部８１４と、無線送信部８１５と、送信フィルタ部８１６と、を備える。
【００９０】
復調部８０６、呼処理制御部８０７、出力部８０８、信号判定部８０９、ＲＡＣＨ送信部８１０、入力部８１１、呼処理制御部８１２および変調部８１３は、たとえばデジタル回路８３０により実現することができる。
【００９１】
アンテナ部８０１は、他の通信装置（たとえばＲＥ２１１，２１２）から無線送信された信号を受信し、受信した信号をアンテナ共用部８０２へ出力する。また、アンテナ部８０１は、アンテナ共用部８０２から出力された信号を他の通信装置へ無線送信する。
【００９２】
アンテナ共用部８０２は、アンテナ部８０１から出力された信号を受信フィルタ部８０３へ出力する。また、アンテナ共用部８０２は、送信フィルタ部８１６から出力された信号をアンテナ部８０１へ出力する。
【００９３】
受信フィルタ部８０３は、アンテナ共用部８０２から出力された信号のうちのＵＥ８００の受信帯域成分の信号を抽出し、抽出した信号を無線受信部８０４へ出力する。無線受信部８０４は、受信フィルタ部８０３から出力された信号の受信処理を行い、受信処理によって得られた信号をアナログ／デジタル変換部８０５へ出力する。
【００９４】
アナログ／デジタル変換部８０５は、無線受信部８０４から出力された信号をアナログ信号からデジタル信号に変換し、デジタルに変換した信号を復調部８０６へ出力する。復調部８０６は、アナログ／デジタル変換部８０５から出力された信号を復調し、復調により得られたデータを呼処理制御部８０７へ出力する。
【００９５】
呼処理制御部８０７は、復調部８０６から出力されたデータに含まれる制御データを信号判定部８０９へ出力することにより呼処理制御を行う。また、呼処理制御部８０７は、復調部８０６から出力されたデータに含まれるユーザデータを出力部８０８へ出力する。
【００９６】
出力部８０８は、呼処理制御部８０７から出力されたユーザデータをアプリケーション上位レイヤ処理部などへ出力する。
【００９７】
信号判定部８０９は、呼処理制御部８０７から出力された制御データに不具合情報（Ａ１）または不具合情報（Ａ２）が含まれていた場合に、含まれていた不具合情報（Ａ１）または不具合情報（Ａ２）をＲＡＣＨ送信部８１０へ出力する。
【００９８】
ＲＡＣＨ送信部８１０は、信号判定部８０９から不具合情報（Ａ１）が出力され、かつ不具合情報（Ａ１）に含まれるセルＩＤのＲＥとは異なるＲＥのセルにＵＥ８００が在圏している場合は、不具合情報（Ａ１）をＲＡＣＨで無線送信する処理を行う。たとえば、ＲＡＣＨ送信部８１０は、不具合情報（Ａ１）を呼処理制御部８１２へ出力する。
【００９９】
また、ＲＡＣＨ送信部８１０は、信号判定部８０９から不具合情報（Ａ２）が出力され、かつ不具合情報（Ａ２）に含まれるセルＩＤのＲＥのセルにＵＥ８００が在圏している場合は、不具合情報（Ａ２）をＲＡＣＨで無線送信する処理を行う。たとえば、ＲＡＣＨ送信部８１０は、不具合情報（Ａ２）を呼処理制御部８１２へ出力する。
【０１００】
入力部８１１は、上位レイヤ処理部などから出力されたユーザデータを呼処理制御部８１２へ出力する。
【０１０１】
呼処理制御部８１２は、呼処理制御を行い、入力部８１１から出力されたユーザデータと、ＲＡＣＨ送信部８１０から出力された不具合情報と、の送信処理を行う。たとえば、呼処理制御部８１２は、送信する各データを変調部８１３へ出力する。
【０１０２】
変調部８１３は、呼処理制御部８１２から出力されたデータに基づく変調を行い、変調により得られた信号をデジタル／アナログ変換部８１４へ出力する。デジタル／アナログ変換部８１４は、変調部８１３から出力された信号をデジタル信号からアナログ信号に変換し、アナログ信号に変換した信号を無線送信部８１５へ出力する。
【０１０３】
無線送信部８１５は、デジタル／アナログ変換部８１４から出力された信号を送信フィルタ部８１６へ出力する。送信フィルタ部８１６は、無線送信部８１５から出力された信号のうちのＵＥ８００の送信帯域成分の信号を抽出し、抽出した信号をアンテナ共用部８０２へ出力する。
【０１０４】
（ＲＥによる処理）
図９は、ＲＥによる処理の一例を示すフローチャート（その１）である。ＲＥ７００は、たとえば図９に示す各ステップを実行する。初期状態において、ＲＥ７００の運用モードは運用モード１である。まず、ＲＥ７００は、ＲＥ７００と接続されたＲＥＣとの間の通信状態を監視する（ステップＳ９０１）。つぎに、ＲＥ７００は、ステップＳ９０１の監視結果に基づいて、ＲＥ７００と接続されたＲＥＣとの間の通信断を検出したか否かを判断する（ステップＳ９０２）。
【０１０５】
ステップＳ９０２において、通信断を検出していない場合（ステップＳ９０２：Ｎｏ）は、ＲＥ７００は、運用モードを運用モード１に設定し（ステップＳ９０３）、ステップＳ９０１へ戻る。なお、ステップＳ９０３の直前において運用モードが運用モード１である場合は、ＲＥ７００は、ステップＳ９０３を行わずにステップＳ９０１へ戻ってもよい。通信断を検出した場合（ステップＳ９０２：Ｙｅｓ）は、ＲＥ７００は、現在の運用モードが運用モード１であるか否かを判断する（ステップＳ９０４）。
【０１０６】
ステップＳ９０４において、運用モードが運用モード２または運用モード３である場合（ステップＳ９０４：Ｎｏ）は、ＲＥ７００は、ステップＳ９０１へ戻る。運用モードが運用モード１である場合（ステップＳ９０４：Ｙｅｓ）は、ＲＥ７００は、運用モードを運用モード２に設定する（ステップＳ９０５）。つぎに、ＲＥ７００は、検出した不具合の内容を示す不具合ビットを格納した不具合情報（Ａ１）の共通ＣＨによる無線送信を開始し（ステップＳ９０６）、ステップＳ９０１へ戻る。
【０１０７】
図１０は、ＲＥによる処理の一例を示すフローチャート（その２）である。ＲＥ７００は、図９に示した各ステップとともに、たとえば図１０に示す各ステップを実行する。まず、ＲＥ７００は、ＲＡＣＨを受信する（ステップＳ１００１）。つぎに、ＲＥ７００は、ステップＳ１００１によって受信したＲＡＣＨに不具合情報があるか否かを判断する（ステップＳ１００２）。
【０１０８】
ステップＳ１００２において、不具合情報がない場合（ステップＳ１００２：Ｎｏ）は、ＲＥ７００は、ステップＳ１００１へ戻る。不具合情報がある場合（ステップＳ１００２：Ｙｅｓ）は、ＲＥ７００は、不具合情報に含まれるセルＩＤが自装置（ＲＥ７００）のＩＤであるか否かを判断する（ステップＳ１００３）。
【０１０９】
ステップＳ１００３において、セルＩＤが自装置のＩＤである場合（ステップＳ１００３：Ｙｅｓ）は、ＲＥ７００は、不具合情報に含まれる通知ビットが“０”であるか否かを判断する（ステップＳ１００４）。通知ビットが“０”である場合（ステップＳ１００４：Ｙｅｓ）は、受信した不具合情報が、ステップＳ９０６によって無線送信を開始した不具合情報（Ａ１）をＵＥ２０１が転送したものであると判断することができる。この場合は、ＲＥ７００は、ステップＳ１００１へ戻る。
【０１１０】
ステップＳ１００４において、通知ビットが“１”である場合（ステップＳ１００４：Ｎｏ）は、図９のステップＳ９０６によって無線送信を開始した不具合情報（Ａ１）が、他のＲＥによって受信されたと判断することができる。この場合は、ＲＥ７００は、運用モードを運用モード３に設定する（ステップＳ１００５）。また、ＲＥ７００は、図９のステップＳ９０６によって開始した不具合情報（Ａ１）の無線送信を含む無線信号の送受信を停止し（ステップＳ１００６）、ステップＳ１００１へ戻る。
【０１１１】
ステップＳ１００３において、セルＩＤが自装置のＩＤでない場合（ステップＳ１００３：Ｎｏ）は、他のＲＥにおいて発生した不具合に関する不具合情報を受信したと判断することができる。この場合は、ＲＥ７００は、他ＲＥ不具合情報の受信時の処理を行い（ステップＳ１００７）、ステップＳ１００１へ戻る。他ＲＥ不具合情報の受信時の処理については後述する（たとえば図１１参照）。
【０１１２】
図１１は、他ＲＥ不具合情報の受信時の処理の一例を示すフローチャートである。図１０のステップＳ１００７において、ＲＥ７００は、他ＲＥ不具合情報の受信時の処理として、たとえば図１１に示す各ステップを実行する。まず、ＲＥ７００は、受信した不具合情報に含まれる通知ビットが“０”であるか否かを判断する（ステップＳ１１０１）。
【０１１３】
ステップＳ１１０１において、通知ビットが“０”である場合（ステップＳ１１０１：Ｙｅｓ）は、受信した不具合情報が、不具合を通知するための不具合情報（Ａ１）であると判断することができる。この場合は、ＲＥ７００は、ＣＰＲＩフレームに不具合情報（Ａ１）を重畳する（ステップＳ１１０２）。つぎに、ステップＳ１１０２によって不具合情報（Ａ１）を重畳したＣＰＲＩフレームを、ＲＥ７００と接続されたＲＥＣへ送信する（ステップＳ１１０３）。
【０１１４】
また、ＲＥ７００は、不具合情報（Ａ１）の通知ビットを“０”から“１”に置換する（ステップＳ１１０４）。これにより、不具合情報（Ａ１）が、不具合情報（Ａ１）の受信を通知するための不具合情報（Ａ２）となる。つぎに、ＲＥ７００は、不具合情報（Ａ２）の共通ＣＨによる無線送信を開始する（ステップＳ１１０５）。ＲＥ７００は、ステップＳ１１０３，Ｓ１１０５の後に一連の他ＲＥ不具合情報の受信時の処理を終了する。
【０１１５】
ステップＳ１１０１において、通知ビットが“０”でない場合（ステップＳ１１０１：Ｎｏ）は、受信した不具合情報が、ステップＳ１１０５によって無線送信を開始した不具合情報（Ａ２）をＵＥ２０１が転送したものであると判断することができる。この場合は、ＲＥ７００は、ステップＳ１１０５によって開始した不具合情報（Ａ２）の無線送信を停止し（ステップＳ１１０６）、一連の他ＲＥ不具合情報の受信時の処理を終了する。
【０１１６】
（ＵＥによる処理）
図１２は、ＵＥによる処理の一例を示すフローチャートである。ＵＥ８００は、たとえば図１２に示す各ステップを実行する。まず、ＵＥ８００は、共通ＣＨを受信する（ステップＳ１２０１）。つぎに、ＵＥ８００は、ステップＳ１２０１によって受信された共通ＣＨに不具合情報があるか否かを判断する（ステップＳ１２０２）。
【０１１７】
ステップＳ１２０２において、不具合情報がない場合（ステップＳ１２０２：Ｎｏ）は、ＵＥ８００は、ステップＳ１２０１へ戻る。不具合情報がある場合（ステップＳ１２０２：Ｙｅｓ）は、ＵＥ８００は、不具合情報に含まれる通知ビットが“０”であるか否かを判断する（ステップＳ１２０３）。
【０１１８】
ステップＳ１２０３において、通知ビットが“０”である場合（ステップＳ１２０３：Ｙｅｓ）は、受信した不具合情報が、不具合を通知するための不具合情報（Ａ１）であると判断することができる。この場合は、ＵＥ８００は、受信した不具合情報（Ａ１）に含まれるセルＩＤが示すＲＥ以外のＲＥの圏内であるか否かを判断する（ステップＳ１２０４）。他のＲＥの圏内でない場合（ステップＳ１２０４：Ｎｏ）は、ＵＥ８００は、ステップＳ１２０１へ戻る。
【０１１９】
ステップＳ１２０４において、他のＲＥの圏内である場合（ステップＳ１２０４：Ｙｅｓ）は、ＵＥ８００は、受信した不具合情報（Ａ１）のＲＡＣＨによる無線送信を開始する（ステップＳ１２０５）。また、ＵＥ８００は、受信した不具合情報（Ａ１）に含まれるセルＩＤが示すＲＥとの接続中の呼があるか否かを判断する（ステップＳ１２０６）。
【０１２０】
ステップＳ１２０６において、接続中の呼がある場合（ステップＳ１２０６：Ｙｅｓ）は、ＵＥ８００は、他のＲＥへの再接続シーケンスを行う（ステップＳ１２０７）。接続中の呼がない場合（ステップＳ１２０６：Ｎｏ）は、ＵＥ８００は、ステップＳ１２０７の再接続シーケンスを行わない。ステップＳ１２０５〜Ｓ１２０７の後に、ＵＥ８００は、ステップＳ１２０１へ戻る。
【０１２１】
ステップＳ１２０３において、通知ビットが“０”でない場合（ステップＳ１２０３：Ｎｏ）は、受信した不具合情報が、不具合情報（Ａ１）の受信を通知するための不具合情報（Ａ２）であると判断することができる。この場合は、ＵＥ８００は、受信した不具合情報（Ａ２）に含まれるセルＩＤに対応する、ステップＳ１２０５によって開始した不具合情報（Ａ１）の無線送信を停止する（ステップＳ１２０８）。
【０１２２】
つぎに、ＵＥ８００は、受信した不具合情報（Ａ２）に含まれるセルＩＤが示すＲＥの圏内であるか否かを判断する（ステップＳ１２０９）。セルＩＤが示すＲＥの圏内でない場合（ステップＳ１２０９：Ｎｏ）は、ＵＥ８００は、ステップＳ１２０１へ戻る。
【０１２３】
ステップＳ１２０９において、セルＩＤが示すＲＥの圏内である場合（ステップＳ１２０９：Ｙｅｓ）は、ＵＥ８００は、受信した不具合情報（Ａ２）をＲＡＣＨにより無線送信し（ステップＳ１２１０）、ステップＳ１２０１へ戻る。
【０１２４】
このように、実施の形態２によれば、ＲＥ２１１がＲＥＣ２３１との間の通信の障害を検出した場合に不具合情報（Ａ１）を共通ＣＨにより無線送信することができる。これにより、ＵＥ２０１、ＲＥ２１２およびＲＥＣ２３２を介して遠隔監視装置２４０へ不具合情報（Ａ１）を送信することができる。
【０１２５】
したがって、ＲＥ２１１とＲＥＣ２３１との間の通信に障害が発生している状況でもＲＥ２１１からの不具合情報（Ａ１）を遠隔監視装置２４０へ送信できるため、遠隔監視装置２４０において障害情報の取得が漏れなく可能になる。このため、障害原因の特定に要する時間の削減を図ることができる。
【０１２６】
また、ＲＥ２１１を介してネットワークとの間で通信が可能なＵＥ２０１を経由して不具合情報（Ａ１）を送信することにより、不具合情報（Ａ１）を転送するための通信装置を追加しなくても、不具合情報（Ａ１）を遠隔監視装置２４０へ送信することができる。
【０１２７】
また、ＲＥ２１１を介してＲＥＣ２３１と通信が可能なＵＥ２０１を経由して不具合情報（Ａ１）を送信することにより、不具合情報（Ａ１）を転送するための通信装置を追加しなくても、不具合情報（Ａ１）を遠隔監視装置２４０へ送信することができる。
【０１２８】
また、共通チャネルを用いて不具合情報（Ａ１）を無線送信することにより、ＲＥ２１１にＵＥ２０１が無線接続していなくても、ＵＥ２０１に不具合情報（Ａ１）を受信させることができる。
【０１２９】
また、ＵＥ２０１は、ＲＥ２１１からの不具合情報（Ａ１）を受信した際にＲＥ２１１に無線接続していた場合に、ＲＥ２１１と異なる基地局装置（たとえばＲＥ２１２）へ無線接続を切り替える。これにより、ＵＥ２０１は、ネットワーク側との通信に障害が発生したＲＥ２１１との無線接続を他の基地局装置との無線接続へ切り替え、ネットワーク側との通信が不可となる期間を短縮することができる。無線接続の切り替え先は、不具合情報（Ａ１）の送信先のＲＥ２１２に限らず、ＲＥ２１１およびＲＥ２１２と異なる基地局装置であってもよい。
【０１３０】
また、ＵＥ２０１がＲＥ２１１からの不具合情報（Ａ１）を受信した場合のＵＥ２０１の無線接続の切り替えは、ＲＥ２１１からの制御によって行われてもよい。
【０１３１】
ＵＥ２０１は、ＲＥ２１１からの不具合情報（Ａ１）を、たとえばランダムアクセスチャネルで無線送信する。これにより、ＵＥ２０１がＲＥ２１２に無線接続していなくても、不具合情報（Ａ１）をＲＥ２１２へ無線送信することができる。
【０１３２】
ＵＥ２０１は、無線送信した不具合情報（Ａ１）に対するＲＥ２１２からの不具合情報（Ａ２）を共通チャネルで受信し、受信した不具合情報（Ａ２）をＲＥ２１１へ無線送信するようにする。これにより、不具合情報（Ａ１）が他の基地局装置（ＲＥ２１２）に受信されたことをＲＥ２１１へ通知することができる。
【０１３３】
また、ＵＥ２０１による不具合情報（Ａ２）の無線送信は、たとえばランダムアクセスチャネルを用いて行うことができる。これにより、ＵＥ２０１がＲＥ２１１に無線接続していなくても、不具合情報（Ａ２）をＲＥ２１１へ無線送信することができる。
【０１３４】
また、ＵＥ２０１は、ＲＥ２１１と異なる基地局装置（たとえばＲＥ２１２）からの不具合情報（Ａ２）を受信するまで、ＲＥ２１１からの不具合情報（Ａ１）の無線送信を繰り返す。これにより、不具合情報（Ａ１）の無線送信を、不具合情報（Ａ１）がＲＥ２１２に受信されるまで継続することができる。
【０１３５】
また、ＲＥ２１１は、不具合情報（Ａ１）の無線送信を、ＵＥ２０１によって無線送信された応答情報を受信するまで繰り返す。これにより、ＲＥ２１１からの不具合情報（Ａ１）の無線送信を、不具合情報（Ａ１）がＵＥ２０１を介してＲＥ２１２に受信されるまで継続することができる。
【０１３６】
以上説明したように、基地局装置および無線アクセスシステムによれば、障害原因の特定に要する時間の削減を図ることができる。
【０１３７】
たとえば、移動体通信システムにおいて、基地局装置の機能を、ＣＰＲＩを介して接続されたＲＥＣとＲＥに分割する技術が知られている。このような移動体通信システムにおいては、移動通信端末と無線電波の送受信機能を有するＲＥと、ＲＥを制御しつつコアネットワーク側との通信を行うベースバンド機能を有するＲＥＣとが、たとえば冗長構成の無い１本の光ケーブルによって互いに接続される。
【０１３８】
そして、ＲＥとＲＥＣとの間で、異なる光の波長を用いて全二重の双方向光通信が行われる。このため、ＲＥとＲＥＣとの間に何らかの通信障害が発生した場合に、ＲＥがカバーするサービスエリアはサービス停止状態に陥る。
【０１３９】
今後、ユーザの増加と共により高速通信への要求が高まるにつれ、１台のＲＥがカバーするサービスエリアがより小さくなるスモールセル（Ｓｍａｌｌ  Ｃｅｌｌ）ソリューションと呼ばれる基地局構成が増えることが想定される。このため、ＲＥの台数は今後さらに増大し、このようなサービス停止による影響は増大することが想定される。
【０１４０】
ＲＥの多くはビルの屋上や鉄塔の上などの屋外に設置されるため、密閉構造の筐体を有し、故障時にはたとえばＲＥの装置交換となる。このため、ＲＥの故障時の交換は鉄塔などに上っての作業となるため、復旧までの作業工数も増大することが想定される。
【０１４１】
ＲＥとＲＥＣとの間の通信に障害が発生した場合は、発生した障害の根本原因は、たとえば以下のＣ１〜Ｃ４のように複数通りの可能性がある。
【０１４２】
Ｃ１…ＲＥＣ側の送信機能、受信機能、電気／光変換機能の故障
Ｃ２…ＲＥ側の送信機能、受信機能、電気／光変換機能の故障
Ｃ３…光ケーブルの途中断線
Ｃ４…光ケーブルとＲＥ装置もしくはＲＥＣ装置との光コネクタの嵌合不良
【０１４３】
しかしながら、基地局装置の遠隔監視はたとえばＲＥＣ経由にて実施されるため、上記Ｃ１のようなＲＥＣ装置内の原因特定は可能であっても、Ｃ２〜Ｃ４のような根本原因の特定に関しては遠隔からは困難な場合が多い。
【０１４４】
そのため、障害復旧のためには、想定できる限りの不具合箇所に対して交換可能な予備の部品や装置を準備したうえで、保守者が現地（ビルの屋上、鉄塔の上など）に駆けつけ、現地到着後に根本原因の特定および復旧作業を実施することになる。これらの各作業には時間がかかるため、復旧までに長い時間を要する原因の一つになると考えられる。
【０１４５】
これに対して、上述した各実施の形態によれば、ＲＥ側で検出可能な不具合情報をＣＰＲＩ経由以外の方法を用いて、遠隔監視装置へ送信することができる。ここで、ＲＥが具備している無線送受信機能を用いて他の正常運用中のＲＥを経由する場合に、無線基地局ではたとえば送信と受信の無線周波数が異なるＦＤＤ（Ｆｒｅｑｕｅｎｃｙ  Ｄｉｖｉｓｉｏｎ  Ｄｕｐｌｅｘ：周波数分割複信）方式が採用されているため、ＲＥの送信する無線電波を他のＲＥが受信することは困難である。そこで、上述した各実施の形態においては、一般の移動通信端末（ユーザ端末）を中継装置として利用することにより、他ＲＥ経由にて不具合情報を遠隔監視装置へ送信することができる。
【０１４６】
これにより、ＲＥＣ−ＲＥ間の通信障害が発生した場合に、現地入りする前に、不具合の根本原因の絞り込み、特定が可能になる。このため、事前準備、現地での作業時間の短縮にも繋がり、結果としてサービス停止期間の短縮、復旧に要する工数の最適化が可能となる。また、ＲＥＣ−ＲＥ間の通信障害を検知できるため、即座に次候補基地局との再接続を開始するため、無線通信不可状態の期間を短縮することが可能となる。
【０１４７】
上述した各実施の形態に関し、さらに以下の付記を開示する。
【０１４８】
（付記１）無線端末装置との無線通信および無線制御装置との通信によって前記無線端末装置と前記無線制御装置との間の通信を中継する通信部と、
前記通信部による前記無線制御装置との通信の障害を検出する検出部と、
前記検出部によって前記障害が検出された場合に、前記障害を示す障害情報を、無線端末装置が受信可能な共通チャネルで前記通信部によって無線送信させる制御部と、
を備えることを特徴とする基地局装置。
【０１４９】
（付記２）前記制御部は、前記共通チャネルから前記障害情報を無線送信することにより、前記共通チャネルから前記障害情報を受信した無線端末装置に前記障害情報を他の基地局装置へ無線送信させ、前記他の基地局装置に前記障害情報を遠隔監視装置へ送信させることを特徴とする付記１に記載の基地局装置。
【０１５０】
（付記３）前記制御部は、前記検出部によって前記障害が検出され、前記障害情報を受信した無線端末装置が自装置に無線接続していた場合に、前記障害情報を受信した無線端末装置の無線接続を他の基地局装置へ切り替えさせることを特徴とする付記１または２に記載の基地局装置。
【０１５１】
（付記４）無線端末装置との無線通信および無線制御装置との通信によって前記無線端末装置と前記無線制御装置との間の通信を中継し、前記無線制御装置との通信の障害を検出した場合に前記障害を示す障害情報を共通チャネルで無線送信する第１基地局装置と、
前記共通チャネルから前記障害情報を受信し、受信した障害情報を、前記第１基地局装置と異なる第２基地局装置へ無線送信する無線端末装置と、
を含むことを特徴とする無線アクセスシステム。
【０１５２】
（付記５）前記障害情報を受信した無線端末装置は、前記受信した障害情報を前記第２基地局装置へ無線送信することにより、前記第２基地局装置に前記障害情報を遠隔監視装置へ送信させることを特徴とする付記４に記載の無線アクセスシステム。
【０１５３】
（付記６）前記障害情報を受信した無線端末装置は、前記第１基地局装置に無線接続していた場合に、前記第１基地局装置と異なる基地局装置へ無線接続を切り替えることを特徴とする付記４または５に記載の無線アクセスシステム。
【０１５４】
（付記７）前記障害情報を受信した無線端末装置は、前記障害情報をランダムアクセスチャネルで前記第２基地局装置へ無線送信することを特徴とする付記４〜６のいずれか一つに記載の無線アクセスシステム。
【０１５５】
（付記８）前記障害情報を受信した無線端末装置は、無線送信した前記障害情報に対する前記第２基地局装置からの応答情報を共通チャネルで受信し、受信した応答情報を前記第１基地局装置へ無線送信することを特徴とする付記４〜７のいずれか一つに記載の無線アクセスシステム。
【０１５６】
（付記９）前記障害情報を受信した無線端末装置は、前記応答情報を受信するまで前記障害情報の無線送信を繰り返すことを特徴とする付記８に記載の無線アクセスシステム。
【０１５７】
（付記１０）前記障害情報を受信した無線端末装置は、前記応答情報をランダムアクセスチャネルで前記第１基地局装置へ無線送信することを特徴とする付記８または９に記載の無線アクセスシステム。
【０１５８】
（付記１１）前記第１基地局装置は、前記応答情報を受信するまで前記障害情報の無線送信を繰り返すことを特徴とする付記８〜１０のいずれか一つに記載の無線アクセスシステム。
【０１５９】
（付記１２）前記障害情報を受信した無線端末装置は、ユーザ端末であることを特徴とする付記４〜１１のいずれか一つに記載の無線アクセスシステム。
【符号の説明】
【０１６０】
１００  無線アクセスシステム
１１０，１４０  基地局装置
１１１  通信部
１１２  検出部
１１３  制御部
１２１，１２２  無線端末装置
１３０  無線制御装置
１５０，２４０  遠隔監視装置
２００  通信システム
２０１，８００  ＵＥ
２１１，２１２，７００  ＲＥ
２２１，２２２  サービスエリア
２３１，２３２  ＲＥＣ
３０１  復旧作業
４００  不具合情報
５００，６００  テーブル
７０１，８０１  アンテナ部
７０２，８０２  アンテナ共用部
７０３，８０３  受信フィルタ部
７０４，８０４  無線受信部
７０５，８０５  アナログ／デジタル変換部
７０６，８０６  復調部
７０７  ＣＰＲＩ送信部
７０８  電気／光変換部
７０９  光送受共用部
７１０  光／電気変換部
７１１  ＣＰＲＩ受信部
７１２，８１３  変調部
７１３，８１４  デジタル／アナログ変換部
７１４，８１５  無線送信部
７１５，８１６  送信フィルタ部
７１６  不具合検出部
７１７  ＲＡＣＨ受信部
７１８  他ＲＥ不具合抽出部
７１９  共通ＣＨ送信部
７２０  運用モード制御部
７３０，８３０  デジタル回路
８０７，８１２  呼処理制御部
８０８  出力部
８０９  信号判定部
８１０  ＲＡＣＨ送信部
８１１  入力部
【図１Ａ】
2015091060.tif 000003
【図１Ｂ】
2015091060.tif 000004
【図２】
2015091060.tif 000005
【図３】
2015091060.tif 000006
【図４】
2015091060.tif 000007
【図５】
2015091060.tif 000008
【図６】
2015091060.tif 000009
【図７Ａ】
2015091060.tif 000010
【図７Ｂ】
2015091060.tif 000011
【図８Ａ】
2015091060.tif 000012
【図８Ｂ】
2015091060.tif 000013
【図９】
2015091060.tif 000014
【図１０】
2015091060.tif 000015
【図１１】
2015091060.tif 000016
【図１２】
2015091060.tif 000017